(57)【特許請求の範囲】
【請求項１】
縦壁を構成するウエブ部の一方側に、他の部材との接合に用いられるフランジ部が設けられた鋼材を、該他の部材と締結する際に締結部材と共に用いられて、該フランジ部から略垂直に一体に設けられた前記ウエブ部に近接して開口形成された挿通孔の周縁部と、前記締結部材との間に介在される座金本体を有する脚付き座金であって、前記座金本体には、前記ウエブ部の延設方向に沿って、前記フランジ部の上面側を、前記他の部材の方向に押圧するウエブ部側脚部が突設され、該座金本体には、前記ウエブ部側脚部とは、前記締結部材を挿通する前記挿通孔を挟んで反対側の側縁部から、前記フランジ部を押圧する方向に突設させた端縁側脚部を設け、前記挿通孔と該端縁側脚部との間の寸法に比して、前記挿通孔と前記ウエブ部側脚部との間の寸法を小さく設定して、該ウエブ部側脚部の端面を前記ウエブ部と当接させると共に、該鋼材の入り隅に対向する部分に切欠部が設けられていることを特徴とする脚付き座金。
【請求項２】
縦壁を構成するウエブ部の一方側に、他の部材との接合に用いられるフランジ部が設けられた鋼材を、該他の部材と締結する際に締結部材と共に用いられて、該フランジ部から略垂直に一体に設けられた前記ウエブ部に近接して開口形成された挿通孔の周縁部と、前記締結部材との間に介在される座金本体を有する脚付き座金であって、前記座金本体には、前記ウエブ部の延設方向に沿って、前記フランジ部の上面側を、前記他の部材の方向に押圧するウエブ部側脚部が突設され、該座金本体には、前記ウエブ部側脚部とは、前記締結部材を挿通する前記挿通孔を挟んで反対側の側縁部と、前記挿通孔との間の寸法に比して、前記挿通孔と前記ウエブ部側脚部との間の寸法を小さく設定して、該ウエブ部側脚部の端面を前記ウエブ部と当接させると共に、該鋼材の入り隅に対向する部分に切欠部が設けられていて、前記ウエブ部側脚部を前記座金本体のコーナ部で、直交する隣接辺方向に延設して、受圧面積を増大させる延設脚部を設けたことを特徴とする脚付き座金。
【請求項３】
前記延設脚部を前記挿通孔の周縁まで延設させたことを特徴とする請求項２記載の脚付き座金。
【請求項４】
前記締結部材により締結される二部材間の接合に用いられて、少なくとも一方の部材の対向面の裏面側から、前記ウエブ部側脚部を当接させることにより、前記ウエブ部近傍に該ウエブ部の長手方向に沿って、裏面側を他方の部材方向へ押圧するウエブ側脚部を有することを特徴とする請求項１乃至３のうち何れか一項記載の脚付き座金を用いた接合構造。
【請求項５】
前記二部材は、上下若しくは水平方向に隣接配置されるフレーム構造材であることを特徴とする請求項４記載の接合構造を用いた建物。
【請求項６】
前記二部材は、ユニット建物を構成する隣接配置された各建物ユニットの梁フレーム材若しくは柱フレーム材であることを特徴とする請求項５記載の建物。
【発明の詳細な説明】
【技術分野】
【０００１】
本願発明は、建築用の鋼材を接合するボルトと、このボルトと螺合するナットと共に、ボルトの軸に挿通して用いられる座金に関するものである。
【背景技術】
【０００２】
従来から図１２に示されるような座金１１が知られている。（この他、例えば、特許文献１乃至４等参照）
まず、ユニット建物としてのユニット住宅に用いられる鋼材について述べる。
【０００３】
ボックスラーメン構造を有するユニット住宅の梁材や柱材等のフレーム材としては、Ｌ型鋼、Ｈ型鋼、Ｉ型鋼、溝型鋼等の鋼材が用いられるものが知られている。
【０００４】
このような建物としてのユニット住宅では、各建物ユニットの梁材や柱材をジョイントピース等の接合鋼材によって接合して、各建物ユニット毎に略直方体形状の枠組みが形成されている。
【０００５】
例えば、図６に示すように、ユニット住宅１の基礎２と、基礎２上に設置されて接合された複数の建物ユニット３…が、各々梁フレーム材と柱フレーム材とを四隅に位置するコーナ部で剛接合することにより、フレーム枠体による骨格が概略構成されている。
【０００６】
そして、図１２は、例えば、図６に示されるＳ矢視方向から見た図であり、梁材として用いられている溝型鋼４、５が、ボルト６とナット７等とによって接合されている状態を示す部分分解斜視図である。
【０００７】
図６に示すように、この溝型鋼４、５は、上階の建物ユニット３の外側面下端縁の梁と、この梁と接合される下階の建物ユニット３の外側面上端縁の梁とを各々構成している。
【０００８】
次に、溝型鋼４、５の構成について説明する。
【０００９】
図１２に示されるように、溝型鋼４には、縦壁を構成するウェブ部４ａと、ウェブ部４ａの上端縁から水平方向に形成されたフランジ部４ｂと、下端縁から水平方向にフランジ部４ｂと同じ側に形成されたフランジ部４ｃ等とが設けられている。
【００１０】
同様に、他の部材としての溝型鋼５には、縦壁を構成するウェブ部５ａと、ウェブ部５ａの上端縁から水平方向に形成されたフランジ部５ｂと、下端縁から水平方向にフランジ部５ｂと同じ側に形成されたフランジ部５ｃ等とが設けられている。
【００１１】
そして、溝型鋼４は、溝型鋼５の上部に、ウェブ部４ａとウェブ部５ａとが略面一に位置するように、溝型鋼４の下側のフランジ部４ｃと溝型鋼５の上側のフランジ部５ｂとが上下に当接した状態で設置されている。
【００１２】
また、溝型鋼４と溝型鋼５とを接合するために、溝型鋼４の下側のフランジ部４ｃと、溝型鋼５の上側のフランジ部５ｂとに、ボルト６を挿通するための挿通孔８と、挿通孔９とが各々設けられている。
【００１３】
この溝型鋼４、５の接合には、ボルト６と、このボルト６に螺合されるナット７と、ボルト６に挿通されてボルト６やナット７の緩みを防止するばね座金１０、１０と、このボルト６とナット７との軸力をフランジ部４ｃとフランジ部５ｂとに伝達するための座金１１、１１とが用いられる。
【００１４】
次に、座金１１とボルト６とナット７との構成について説明する。
【００１５】
座金１１には、平面視形状が略正方形状の座金本体１１ａの平面視略中央に挿通孔１１ｂが開口形成されている。
【００１６】
そして、ボルト６は、六角形状の頭部６ｂと、ナット７に螺合される雄ネジ部が形成された軸部６ａとから主に構成されている。
【００１７】
また、図１３に示されるように、この頭部６ｂの下面側は、軸部６ａの周囲に、上側のばね座金１０の一部と当接する当接面６ｃ等とを有している。
【００１８】
更に、ナット７は、ナット本体７ａと、雌ネジ部が形成された螺合穴７ｂ等とを有している。
【００１９】
このナット本体７ａの上面側は、螺合穴７ｂの周囲に、下側のばね座金１０の一部と当接する当接面７ｃ等とを有している。
【００２０】
この座金本体１１ａのフランジ部４ｃ又はフランジ部５ｂとの当接面の面積は、ボルト６の当接面６ｃの面積や、ナット７の当接面７ｃの面積より大きい。
【００２１】
このため、この座金１１、１１によって、フランジ部４ｃとフランジ部５ｂとを加圧する加圧面積が増大して、ボルト６及びナット７の軸力が、ボルト６の軸の周囲に分散されるように構成されている。
【００２２】
次に、溝型鋼４と溝型鋼５との接合方法について説明する。
【００２３】
まず、図１２に示すように、ボルト６に、ばね座金１０と座金１１とを挿通して、更に、挿通孔８の軸位置と挿通孔９の軸位置とを合わせて、ばね座金１０と座金１１とが挿通されているボルト６を挿通孔８、９に各々挿通する。
【００２４】
そして、溝型鋼５のフランジ部５ｂの下側から、座金１１と、ばね座金１０とを、この順にボルト６に挿通して、ナット７を下側からボルト６に螺合させて、ボルト６とナット７とによって、ばね座金１０、１０と座金１１、１１とを介して、フランジ部４ｃとフランジ部５ｂとを挟着して接合する。
【００２５】
次に、この従来の座金１１の作用効果について述べる。
【００２６】
このように構成された従来の座金１１は、平面視形状が略正方形状の座金本体１１ａと、座金本体１１ａの平面視中央に挿通孔１１ｂ等とを有していて、この座金本体１１ａのフランジ部４ｃ又はフランジ部５ｂとの当接面の面積は、ボルト６の当接面６ｃの面積や、ナット７の当接面７ｃの面積より大きい。
【００２７】
このため、座金１１、１１によって、フランジ部４ｃとフランジ部５ｂとを加圧する加圧面積が増大して、ボルト６及びナット７の軸力が、ボルト６の軸の周囲に分散するので、座金１１、１１を用いない場合に比べて、ボルト６の軸方向に垂直方向のふらつきが防止できて、ボルト６及びナット７による安定した接合が可能になる。
【特許文献１】特開平０５−２８８２０９号公報
【特許文献２】特開平１０−２７４２３１号公報
【特許文献３】特開平１１−００６２１０号公報
【特許文献４】特開平１１−２２９５０２号公報
【発明の開示】
【発明が解決しようとする課題】
【００２８】
しかしながら、従来例の座金１１では、図１３に示されるように、ボルト６の軸力Ｆが、上側の座金１１によって分散され、上側の座金１１とフランジ部４ｃとの間の圧力は、一般に、ボルト６の軸から離れるに従い小さくなるので、上側の座金１１の端部付近では、最も小さくなる。
【００２９】
このため、図６に示されるように、ユニット住宅に、例えば、台風等によって発生した強風が吹きつけ、上階の建物ユニットに、水平方向の外力Ｆ１が加わると、図１４に示されるように、溝型鋼４にも水平方向内向きに外力Ｆ３が加わる。
【００３０】
このため、フランジ部４ｃとフランジ部５ｂとの接合面の内側の端縁を支点として、溝型鋼４のウェブ部４ａに、上向きの引張力Ｆ４が作用し、溝型鋼４のフランジ部４ｃの外側部分が浮き上がって、溝型鋼４のフランジ部４ｃと溝型鋼５のフランジ部５ｂとの間に隙間が生じてしまう虞があった。
【００３１】
そこで、本願発明では、鋼材のウェブ部に上向きの引張力が作用した際に、鋼材のフランジ部の外側部分が浮き上がって、鋼材のフランジ部と接合される他の部材との間に隙間が生じるのを防止する脚付き座金を提供することを課題としている。
【課題を解決するための手段】
【００３２】
上記目的を達成するために、請求項１に記載された発明は、縦壁を構成するウエブ部の一方側に、他の部材との接合に用いられるフランジ部が設けられた鋼材を、該他の部材と締結する際に締結部材と共に用いられて、該フランジ部から略垂直に一体に設けられた前記ウエブ部に近接して開口形成された挿通孔の周縁部と、前記締結部材との間に介在される座金本体を有する脚付き座金であって、前記座金本体には、前記ウエブ部の延設方向に沿って、前記フランジ部の上面側を、前記他の部材の方向に押圧するウエブ部側脚部が突設され、該座金本体には、前記ウエブ部側脚部とは、前記締結部材を挿通する前記挿通孔を挟んで反対側の側縁部から、前記フランジ部を押圧する方向に突設させた端縁側脚部を設け、前記挿通孔と該端縁側脚部との間の寸法に比して、前記挿通孔と前記ウエブ部側脚部との間の寸法を小さく設定して、該ウエブ部側脚部の端面を前記ウエブ部と当接させると共に、該鋼材の入り隅に対向する部分に切欠部が設けられている脚付き座金を特徴としている。
【００３４】
また、請求項２に記載された発明は、縦壁を構成するウエブ部の一方側に、他の部材との接合に用いられるフランジ部が設けられた鋼材を、該他の部材と締結する際に締結部材と共に用いられて、該フランジ部から略垂直に一体に設けられた前記ウエブ部に近接して開口形成された挿通孔の周縁部と、前記締結部材との間に介在される座金本体を有する脚付き座金であって、前記座金本体には、前記ウエブ部の延設方向に沿って、前記フランジ部の上面側を、前記他の部材の方向に押圧するウエブ部側脚部が突設され、該座金本体には、前記ウエブ部側脚部とは、前記締結部材を挿通する前記挿通孔を挟んで反対側の側縁部と、前記挿通孔との間の寸法に比して、前記挿通孔と前記ウエブ部側脚部との間の寸法を小さく設定して、該ウエブ部側脚部の端面を前記ウエブ部と当接させると共に、該鋼材の入り隅に対向する部分に切欠部が設けられていて、前記ウエブ部側脚部を前記座金本体のコーナ部で、直交する隣接辺方向に延設して、受圧面積を増大させる延設脚部を設けた脚付き座金を特徴としている。
【００３５】
更に、請求項３に記載された発明は、前記延設脚部を前記挿通孔の周縁まで延設させた請求項２記載の脚付き座金を特徴としている。
【００３６】
そして、請求項４に記載された発明は、前記締結部材により締結される二部材間の接合に用いられて、少なくとも一方の部材の対向面の裏面側から、前記ウエブ部側脚部を当接させることにより、前記ウエブ部近傍に該ウエブ部の長手方向に沿って、裏面側を他方の部材方向へ押圧するウエブ側脚部を有する請求項１乃至３のうち何れか一項記載の脚付き座金を用いた接合構造を特徴としている。
【００３７】
また、請求項５に記載された発明は、前記二部材は、上下若しくは水平方向に隣接配置されるフレーム構造材である請求項４記載の接合構造を用いた建物を特徴としている。
【００３８】
更に、請求項６に記載された発明は、前記二部材は、ユニット建物を構成する隣接配置された各建物ユニットの梁フレーム材若しくは柱フレーム材である請求項４記載の建物を特徴としている。
【発明の効果】
【００３９】
このように構成された本願発明の請求項１記載のものは、該座金本体に設けられた前記ウエブ部側脚部が前記ウエブ部側に突設されているため、該座金本体に締結力が加わると、前記ウエブ部の延設方向に沿って、前記フランジ部の上面側が、前記他の部材の方向を押圧する。
【００４０】
このため、前記締結部材の狭着力が、前記フランジ部の上面側の前記ウエブ部側に位置する前記ウエブ部側脚部によって、前記他の部材を引き寄せる方向に作用するので、前記鋼材と前記他の部材とを引き離す向きの引張力が作用しても、前記鋼材と前記他の部材との間に隙間が生じるのを防止することができる。
【００４１】
また、該挿通孔と該端縁側脚部との間の寸法に比して、該挿通孔と該ウエブ部側脚部との寸法が小さく設定されているため、前記端縁側脚部に作用する狭着力に比して、前記ウエブ部側脚部に作用する狭着力が大きくなる。
【００４２】
従って、一層効果的に、前記締結部材の狭着力を他の部材との間に作用させて、前記鋼
材と前記他の部材とを引き離す向きの引張力が作用しても、前記鋼材と前記他の部材との間に隙間が生じるのを防止することができる。
そして、前記ウエブ部に当接された前記ウエブ部側脚部の端面には、該鋼材の入り隅に対向する部分に、切欠部が設けられている。
このため、前記脚付き座金が、廻り止めされて、回転方向の角度の位置決めが行われるので、上、下両側のウエブ部側脚部の位置を合わせ易く、更に、狭着力を有効に作用させることができる。
【００４３】
更に、前記脚付き座金に設けられた前記延設脚部によって、前記ウエブ部側脚部が前記座金本体の前記コーナ部で、直交する隣接辺方向に延設されて、受圧面積が増大される。
【００４４】
このため、前記延設脚部側に引張力が集中した際にも、受圧面積が大きく設定できるため、該引張力が分散して、集中した引張力によって、前記脚付き座金が変形するのを防止することができる。
【００４５】
また、前記ウエブ部側脚部とは、前記締結部材を挿通する前記挿通孔を挟んで反対側の側縁部と、前記挿通孔との間の寸法に比して、前記挿通孔と前記ウエブ部側脚部との間の寸法が小さく設定された座金本体によって、前記ウエブ部側脚部に作用する挟着力が大きくなる。
更に、本願発明の請求項３記載のものは、前記脚付き座金の前記ウエブ部側脚部又は前記延設脚部が、前記挿通孔の周縁まで延設されている。
【００４６】
このため、該挿通孔の周縁での狭着力を更に、有効に作用させて、前記脚付き座金の前記延設脚部側と前記他の部材との間に隙間が生じるのを防止することができる。
【００４７】
そして、本願発明の請求項４記載のものは、前記締結部材を用いて、二部材間を締結すると、前記脚付き座金のウエブ側脚部が、少なくとも一方の部材の対向面の裏面側から、前記ウエブ部近傍に該ウエブ部の長手方向に沿って、裏面側を他方の部材方向へ押圧する。
【００４８】
このため、二部材間のウエブ部同士を離間させるような引張力が作用しても、二部材間の対向面間に隙間が生じるのを防止することができる。
【００４９】
また、本願発明の請求項５記載のものは、建物に隣接配置されるフレーム構造材同士の接合が、強固に行われると共に、締結部材の締結力を有効に、ウエブ部同士を離間させるような引張力による歪み防止に用いて、堅牢で建付精度の良好な建物を得られる。
【００５０】
更に、本願発明の請求項６記載のものは、各建物ユニット間が、隣接配置された各建物ユニットの梁フレーム材若しくは柱フレーム材で強固に接合される。
【００５１】
このため、複数の建物ユニットが連続配置されるユニット建物であっても、引張力による変形量が積算されることなく、ユニット建物全体の耐歪み性能を良好なものとすることができる。
【発明を実施するための最良の形態】
【００５２】
図１乃至図１１に基づいて、本願発明を実施するための最良の実施の形態の脚付き座金について説明する。なお、前記従来例と同一乃至均等な部分については同一符号を付して説明する。
【００５３】
例えば、図６に示すように、ユニット住宅１の基礎２と、基礎２上に設置されて接合された複数の建物ユニット３…が、各々梁フレーム材と柱フレーム材とを四隅に位置するコーナ部で、剛接合することにより、フレーム枠体による骨格が概略構成されている。
【００５４】
図２は、図６中、矢視Ｓ方向から見た図で、梁フレーム材として用いられているフレーム構造材としての溝型鋼４、５が、ボルト１６とナット１７等とによって接合される上、下の建物ユニット３、３を接合部の一つが示されている。
【００５５】
これらの溝型鋼４、５は、上階の建物ユニット３の外側面下端縁の梁と、この梁と接合される下階の建物ユニット３の外側面上端縁の梁とを各々構成している。
【００５６】
次に、溝型鋼４、５の構成について説明する。
【００５７】
図１に示されるように、溝型鋼４には、垂直な縦壁を構成するウェブ部４ａと、ウェブ部４ａの内側に上端縁から水平方向に形成されたフランジ部４ｂと、下端縁から水平方向のフランジ部４ｂと同じ側に形成されたフランジ部４ｃ等とが一体に設けられている。
【００５８】
同様に、溝型鋼５には、垂直な縦壁を構成するウェブ部５ａと、ウェブ部５ａ内側に上端縁から水平方向に形成されたフランジ部５ｂ等とが一体に設けられている。
【００５９】
そして、この溝型鋼４のフランジ部４ｃは、溝型鋼５のフランジ部５ｂと、対向されて上、下の建物ユニット３、３間の接合に用いられる。
【００６０】
すなわち、溝型鋼４は、溝型鋼５の上部に、ウェブ部４ａとウェブ部５ａとが略面一に位置するように、溝型鋼４の下側のフランジ部４ｃと溝型鋼５のフランジ部５ｂとが上下に当接した状態で設置されている。
【００６１】
また、溝型鋼４と溝型鋼５とを接合するために、この溝型鋼４の下側のフランジ部４ｃと、溝型鋼５の上側のフランジ部５ｂとに、各々ウエブ部４ａ及びウエブ部５ａに近接してボルト１６を挿通するために開口形成されたフレーム取付け穴１８と、フレーム取付け穴１９とが各々設けられている。
【００６２】
この溝型鋼４、５の接合には、ボルト１６と、このボルト１６と螺合されるナット１７と、ボルト１６に挿通されて、ボルト１６やナット１７の緩みを防止するばね座金２０、２０と、このボルト１６とナット１７との軸力をフランジ部４ｃとフランジ部５ｂとに伝達するための脚付き座金２１、２１とが用いられる。
【００６３】
次に、脚付き座金２１とボルト１６とナット１７との構成について説明する。
【００６４】
脚付き座金２１は、平面視略方形形状の座金本体２１ａと、座金本体２１ａの上面視略中央に挿通孔２１ｂ等とを有していて、溝型鋼４のフランジ部４ｃと溝型鋼５のフランジ部５ｂとを接合する際に、ボルト１６及びナット１７と共に用いられる。
【００６５】
そして、上側の脚付き座金２１の座金本体２１ａは、溝型鋼４のフランジ部４ｃのフレーム取付け穴１８の周縁部と、ボルト１６との間に各々介在され、下側の座金本体２１ａは、溝型鋼５のフランジ部５ｂのフレーム取付け穴１９の周縁部と、ナット１７との間に各々介在されている。
【００６６】
また、上側の脚付き座金２１の座金本体２１ａには、ウエブ部４ａの長手方向に沿って、フランジ部４ｃの上面側を、下方向に押圧するウエブ部側脚部２１ｃがウエブ部４ａ側に突設形成されている。
【００６７】
同様に、下側の脚付き座金２１の座金本体２１ａには、ウエブ部５ａの長手方向に沿って、フランジ部５ｂの下面側を、上方向に押圧するウエブ部側脚部２１ｃがウエブ部５ａ側に突設されている。
【００６８】
更に、上側の座金本体２１ａには、ウエブ部側脚部２１ｃとは、フレーム取付け穴１８を挟んで反対側の側縁部から、下方向に突設形成された端縁側脚部２１ｄが設けられている。
【００６９】
同様に、下側の座金本体２１ａには、ウエブ部側脚部２１ｃとは、フレーム取付け穴１９を挟んで反対側の側縁部から、上方向に突設形成された端縁側脚部２１ｄが設けられている。
【００７０】
しかも、フレーム取付け穴１８、１９の軸と各端縁側脚部２１ｄ、２１ｄとの間の寸法と、フレーム取付け穴１８、１９の軸と各ウエブ部側脚部２１ｃ、２１ｃとの寸法が略同一に設定されている。
【００７１】
また、ボルト１６は、ナット１７と螺合される軸部１６ａと、頭部１６ｂとを有している。
【００７２】
この頭部１６ｂの下面側には、軸部１６ａの周囲に、上側のばね座金２０の上面の一部と当接する当接面１６ｃを有している。
【００７３】
また、ナット１７は、ナット本体１７ａと、螺合穴１７ｂとを有している。
【００７４】
このナット本体１７ａの上面側には、螺合穴１７ｂの周囲に、下側のばね座金２０の下面の一部と当接する当接面１７ｃ等とを有している。
【００７５】
次に、溝型鋼４と溝型鋼５との接合方法について説明する。
【００７６】
まず、ボルト１６に、ばね座金２０と脚付き座金２１とをこの順で挿通して、フレーム取付け穴１８の軸位置とフレーム取付け穴１９の軸位置とを合わせて、ばね座金２０と脚付き座金２１とが挿通されているボルト１６をフレーム取付け穴１８、１９に各々挿通する。
【００７７】
そして、溝型鋼５のフランジ部５ｂの下側から、脚付き座金２１と、ばね座金２０とを、この順にボルト１６に挿通して、ナット１７を、下側からボルト１６に螺合させて、ボルト１６とナット１７とによって、脚付き座金２１、２１とばね座金２０、２０とを介して、フランジ部４ｃとフランジ部５ｂとを挟着して接合する。
【００７８】
次に、この脚付き座金２１の作用効果について述べる。
【００７９】
脚付き座金２１は、平面視略方形形状の座金本体２１ａと、座金本体２１ａの上面視略中央に挿通孔２１ｂ等とを有していて、フランジ部４ｃとフランジ部５ｂとを接合する際に、ボルト１６及びナット１７と共に用いられる。
【００８０】
そして、上側の座金本体２１ａは、フランジ部４ｃのフレーム取付け穴１８の周縁部と、ボルト１６との間に介在して、下側の座金本体２１ａは、フランジ部５ｂのフレーム取付け穴１９の周縁部と、ナット１７との間に介在されている。
【００８１】
また、上側の座金本体２１ａには、ウエブ部４ａの長手方向に沿って、フランジ部４ｃの上面側を、下方向に押圧するウエブ部側脚部２１ｃがウエブ部４ａ側に突設形成されている。
【００８２】
同様に、下側の座金本体２１ａには、ウエブ部５ａの長手方向に沿って、フランジ部５ｂの下面側を、上方向に押圧するウエブ部側脚部２１ｃがウエブ部５ａ側に突設形成されている。
【００８３】
このため、ボルト１６及びナット１７の挟着力が、ウエブ部４ａ、５ｂ側に位置する上下の各ウエブ部側脚部２１ｃに集中することによって、フランジ部４ｃ、５ｂのウエブ部４ａ、５ｂ近傍が、これら上下のウエブ部側脚部２１ｃ、２１ｃによって上下方向から押圧されるので、溝型鋼４と溝型鋼５とを引き離す向きの引張力が作用しても、溝型鋼４と溝型鋼５との間に隙間が生じるのを防止することができる。
【００８４】
従来例の座金１１では、図１３に示されるように、ボルト６の軸力Ｆが、上側の座金１１によって分散され、上側の座金１１とフランジ部４ｃとの間の圧力は、一般に、ボルト６の軸から離れるに従い小さくなるので、上側の座金１１の端部付近では、最も小さくなる。この端部付近の挟着力をｆとする。
【００８５】
一方、図１に示されるように、座金２１では、上側の座金本体２１ａには、フランジ部４ｃの上面側を、ウエブ部４ａの長手方向に沿って、下方向に押圧するウエブ部側脚部２１ｃがウエブ部４ａ側に突設形成されている。
【００８６】
更に、上側の座金本体２１ａには、ウエブ部側脚部２１ｃとは、フレーム取付け穴１８を挟んで反対側の側縁部から、下方向に突設形成された端縁側脚部２１ｄが設けられている。
【００８７】
しかも、フレーム取付け穴１８、１９の軸と各端縁側脚部２１ｄ、２１ｄとの間の寸法と、フレーム取付け穴１８、１９の軸と各ウエブ部側脚部２１ｃ、２１ｃとの寸法が略同一に設定されている。
【００８８】
このため、ウエブ部側脚部２１ｃがフランジ部４ｃの上面に及ぼす挟着力ｆ１と、端縁側脚部２１ｄがフランジ部４ｃの上面に及ぼす挟着力ｆ２とは、大きさが等しく、ボルト１６とナット１７との軸力Ｆの１／２の大きさになっている。
【００８９】
ここで、ｆ１がｆより大きいために、フランジ部４ｃが、このウエブ部側脚部２１ｃによって下方向に押圧されるので、溝型鋼４と溝型鋼５とを引き離す向きの引張力が作用しても、溝型鋼４と溝型鋼５との間に隙間が生じるのを防止することができる。
【実施例１】
【００９０】
次に、図２乃至図６に基づいて、本願発明を実施するための最良の実施の形態の実施例１の脚付き座金について説明する。なお、上記実施の形態と同一乃至均等な部分については同一符号を付して、異なる部分を中心として説明する。
【００９１】
図２は、本願発明を実施するための最良の形態の実施例１の脚付き座金３１、３１と、ボルト１６と、ナット１７と、ばね座金２０、２０との分解斜視図であり、溝型鋼４のフランジ部４ｃと溝型鋼５のフランジ部５ｂとを接合する様子を示す図である。
【００９２】
図３は、脚付き座金３１、３１と、ボルト１６と、ナット１７と、ばね座金２０、２０とを組み上げた状態の図２のＡ−Ａ断面図である。
【００９３】
図４は、本願発明を実施するための最良の形態の実施例１の脚付き座金３１の上面図である。
【００９４】
図５は、本願発明を実施するための最良の形態の実施例１の脚付き座金３１の側面図である。
【００９５】
図６は、ボックスラーメン構造を有するユニット住宅１の基礎２と、この基礎２上に設置されて接合された８つの建物ユニット３…の骨格を構成する主に梁と柱の構造とを示した斜視図である。
【００９６】
この実施例１の脚付き座金３１は、図４に示されるような上面視形状が略正方形状の座金本体３１ａと、座金本体３１ａの上面視略中央に挿通孔３１ｂ等とを有していて、図２に示されるような溝型鋼４のフランジ部４ｃと溝型鋼５のフランジ部５ｂとを接合する際に、ボルト１６及びナット１７と共に用いられる。
【００９７】
そして、図３に示されるように、上側の座金本体３１ａは、フランジ部４ｃのフレーム取付け穴１８の周縁部と、ボルト１６との間に介在されると共に、下側の座金本体３１ａは、フランジ部５ｂのフレーム取付け穴１９の周縁部と、ナット１７との間に介在されている。
【００９８】
また、上側の座金本体３１ａには、フランジ部４ｃの上面側を、ウエブ部４ａの長手方向に沿って、下方向に押圧するウエブ部側脚部３１ｃがウエブ部４ａ側に突設形成されている。
【００９９】
同様に、下側の座金本体３１ａには、フランジ部５ｂの下面側を、ウエブ部５ａの長手方向に沿って、上方向に押圧するウエブ部側脚部３１ｃがウエブ部５ａ側に突設形成されている。
【０１００】
更に、上側の座金本体３１ａには、ウエブ部側脚部３１ｃとは、挿通孔３１ｂを挟んで反対側の側縁部から、下方向に突設形成された端縁側脚部３１ｄが設けられている。
【０１０１】
同様に、下側の座金本体３１ａには、ウエブ部側脚部３１ｃとは、挿通孔３１ｂを挟んで反対側の側縁部から、上方向に突設形成された端縁側脚部３１ｄが設けられている。
【０１０２】
しかも、挿通孔３１ｂ、３１ｂの中心軸と各端縁側脚部３１ｄ、３１ｄとの間の寸法ｂに比して、挿通孔３１ｂ、３１ｂの中心軸と各ウエブ部側脚部３１ｃ、３１ｃとの寸法ａが小さく設定されている。
【０１０３】
更に、脚付き座金３１には、溝型鋼４、５の入り隅に形成される隆起部若しくは、溶接の際に隆起する溶接部のビードとの接触を避けるために、切欠部３１ｅが設けられている。
【０１０４】
また、この実施例１では、脚付き座金３１の外側の端面３１ｆがウエブ部４ａ、５ａの内面と当接するように構成されている。
【０１０５】
次に、この実施例１の脚付き座金３１の作用効果について述べる。
【０１０６】
上側の座金本体３１ａには、ウエブ部４ａの長手方向に沿って、フランジ部４ｃの上面側を下方向に押圧するウエブ部側脚部３１ｃがウエブ部４ａ側に突設形成されている。
【０１０７】
同様に、下側の座金本体３１ａには、ウエブ部５ａの長手方向に沿って、フランジ部５ｂの下面側を上方向に押圧するウエブ部側脚部３１ｃがウエブ部５ａ側に突設形成されている。
【０１０８】
更に、上側の座金本体３１ａには、ウエブ部側脚部３１ｃとは、挿通孔３１ｂを挟んで反対側の側縁部から、下方向に突設形成された端縁側脚部３１ｄが設けられている。
【０１０９】
同様に、下側の座金本体３１ａには、ウエブ部側脚部３１ｃとは、挿通孔３１ｂを挟んで反対側の側縁部から、上方向に突設形成された端縁側脚部３１ｄが設けられている。
【０１１０】
しかも、図３に示されるように、挿通孔３１ｂ、３１ｂの軸と各端縁側脚部３１ｄ、３１ｄとの間の寸法ｂに比して、挿通孔３１ｂ、３１ｂの軸と各ウエブ部側脚部３１ｃ、３１ｃとの寸法ａが小さく設定されている。
【０１１１】
このため、端縁側脚部３１ｄに作用する狭着力ｆ２に比して、ウエブ部側脚部３１ｃに作用する狭着力ｆ１が、式ｆ１：ｆ２＝ｂ：ａに従って、更に大きくなるために、一層効果的に、ボルト１６及びナット１７の軸力Ｆが、上面側のウエブ部側脚部３１ｃによって、ａ＝ｂの場合に比べて一層、下方向に押圧されるので、溝型鋼４と溝型鋼５とを引き離す向きの引張力が作用しても、溝型鋼４と溝型鋼５との間に隙間が生じるのを防止することができる。
【０１１２】
また、この実施例１では、脚付き座金３１の外側の端面３１ｆがウエブ部４ａ、５ａの内面と当接されている。
【０１１３】
このため、前記脚付き座金３１が、廻り止めされて、回転方向の角度の位置決めが行われるので、上、下両側のウエブ部側脚部３１ｃ、３１ｃの位置を合わせ易く、更に、狭着力を有効に作用させることができる。
【０１１４】
他の構成及び作用効果については、前記実施の形態と略同様であるので説明を省略する。
【実施例２】
【０１１５】
図７乃至図９に基づいて、本願発明を実施するための最良の実施の形態の実施例２の脚付き座金について、前述のものと異なる部分を中心として説明し、前述のものと同一乃至均等な部分については同一符号を付して説明する。
【０１１６】
図７は、本願発明を実施するための最良の形態の実施例２の脚付き座金４１を介して、溝型鋼４のフランジ部４ｃと溝型鋼５のフランジ部５ｂとをボルト１６やナット１７等を用いて接合した状態の断面図である。
【０１１７】
図８は、本願発明を実施するための最良の形態の実施例２の脚付き座金４１の上面図である。
【０１１８】
図９は、本願発明を実施するための最良の形態の実施例２の脚付き座金４１の側面図である。
【０１１９】
図８に示されるように、脚付き座金４１は、上面視形状が略正方形状の座金本体４１ａと、座金本体４１ａの上面視略中央に挿通孔４１ｂ等とを有していて、溝型鋼４のフランジ部４ｃと溝型鋼５のフランジ部５ｂとを接合する際に、ボルト１６及びナット１７と共に用いられる。
【０１２０】
そして、図７に示されるように、上側の座金本体４１ａは、フランジ部４ｃのフレーム取付け穴１８の周縁部と、ボルト１６との間に介在して、下側の座金本体４１ａは、フランジ部５ｂのフレーム取付け穴１９の周縁部と、ナット１７との間に介在している。
【０１２１】
また、上側の座金本体４１ａには、フランジ部４ｃの上面側を、ウエブ部４ａの長手方向に沿って、下方向に押圧する上側の座金本体４１ａのウエブ部側脚部４１ｃがウエブ部４ａ側に突設されている。
【０１２２】
同様に、下側の座金本体４１ａには、フランジ部５ｂの下面側を、ウエブ部５ａの長手方向に沿って、上方向に押圧する下側の座金本体４１ａのウエブ部側脚部４１ｃがウエブ部５ａ側に突設されている。
【０１２３】
更に、上側の座金本体４１ａには、この座金本体４１ａのウエブ部側脚部４１ｃとは、ボルト１６を挿通する挿通孔４１ｂを挟んで反対側の側縁部から、溝型鋼４のフランジ部４ｃを押圧する方向に突設させた端縁側脚部４１ｄが設けられている。
【０１２４】
同様に、下側の座金本体４１ａには、この座金本体４１ａのウエブ部側脚部４１ｃとは、ボルト１６を挿通する挿通孔４１ｂを挟んで反対側の側縁部から、溝型鋼５のフランジ部５ｂを押圧する方向に突設させた端縁側脚部４１ｄが設けられている。
【０１２５】
しかも、挿通孔４１ｂの軸と端縁側脚部４１ｄとの間の寸法ｂに比して、挿通孔４１ｂの軸とウエブ部側脚部４１ｃとの寸法ａが小さく設定されている。
【０１２６】
また、脚付き座金４１は、ボルト１６とナット１７との挟着力による座金本体４１ａの変形を防ぐために、実施例１の座金本体３１ａの高さより、座金本体４１ａの高さを大きくして強度を高めているが、部材の体積増加による重量増加を防ぐために、図８及び図９に示されるように、切欠部４１ｆ、４１ｇ、４１ｈ、４１ｈが形成されている。
【０１２７】
更に、脚付き座金４１には、例えば、溝型鋼４、５の溶接部のビードとの接触を避けるために、切欠部４１ｅが設けられている。
【０１２８】
また、この実施例２では、脚付き座金４１の外側の端面４１ｉがウエブ部４ａ、５ａの内面と当接されている。
【０１２９】
このため、前記脚付き座金４１が、廻り止めされて、回転方向の角度の位置決めが行われるので、上、下両側のウエブ部側脚部４１ｃ、４１ｃの位置を合わせ易く、更に、狭着力を有効に作用させることができる。
【０１３０】
次に、脚付き座金４１の作用効果について述べる。
【０１３１】
このように構成された実施例２記載の脚付き座金４１では、前記実施例１の座金本体３１ａの高さより、座金本体４１ａの高さを大きく設定して、剛性を向上させると共に、切欠部４１ｆ、４１ｇ、４１ｈ、４１ｈが、各側面に形成されることにより体積増加による重量増加が防止されている。
【０１３２】
他の構成、及び作用効果については、前記実施例１のものと略同様であるので説明を省略する。
【実施例３】
【０１３３】
図１０は、本願発明を実施するための最良の実施の形態の実施例３の脚付き座金５１について説明するものである。
【０１３４】
なお、前記実施例１、２と同一乃至均等な部分については同一符号を付して、異なる部分を中心として説明する。
【０１３５】
図１０に示す実施例３の脚付き座金５１では、上面視形状が略長方形状の座金本体５１ａと、座金本体５１ａに垂直に挿通する挿通孔５１ｂと、台座部５１ｃ等とを有している。
【０１３６】
また、図１１は、座金５１を裏面側から見た図である。
【０１３７】
図１０に示すように、ウエブ部４ａの長手方向に沿って、フランジ部４ｃの上面側を下方向に押圧する上側の座金本体５１ａの台座部５１ｃには、図１１に示すようなウエブ部側脚部５１ｄがウエブ部４ａ側に突設されている。
【０１３８】
同様に、図１０に示すように、ウエブ部５ａの長手方向に沿って、フランジ部５ｂの下面側を上方向に押圧する下側の座金本体５１ａの台座部５１ｃには、図１１に示すようなウエブ部側脚部５１ｄがウエブ部５ａ側に突設されている。
【０１３９】
しかも、図１１に示されるように、挿通孔５１ｂの中心軸とウエブ部側脚部５１ｄと反対側端縁との間の寸法ｂに比して、挿通孔５１ｂの中心軸とウエブ部側脚部５１ｄとの間の寸法ａが小さくなるように設定されている。
【０１４０】
更に、この実施例３では、脚付き座金５１には、ウエブ部側脚部５１ｄを座金本体のコーナ部で、直交する隣接辺方向に延設した延設脚部５１ｅ、５１ｆが設けられている。
【０１４１】
しかも、この実施例３の脚付き座金５１の台座部５１ｃには、前記ウエブ部側脚部５１ｄ及び延設脚部５１ｅが、前記挿通孔５１ｂの周縁まで延設される受圧面積増大部５１ｇが設けられている。
【０１４２】
次に、この実施例３の脚付き座金５１の作用効果について述べる。
【０１４３】
この実施例３の脚付き座金５１では、例えば、図６中の建物ユニット３の妻に直交する方向に外力Ｆ２が作用した際に、溝型鋼４の中央が上側に撓むことによって生じる力が脚付き座金５１の延設脚部５１ｅ側に集中するが、受圧面積増大部５１ｇの受圧面積が大きくとられているため、力が分散して脚付き座金５１の台座部５１ｃが変形するのを防止することができる。
【０１４４】
しかも、受圧面積増大部５１ｇが挿通孔５１ｂの周縁まで延設されて設けられていため、延設脚部５１ｅ側の狭着力が、脚全体の他の部分より大きくなるので、脚付き座金５１の延設脚部５１ｅ側で、溝型鋼４のフランジ部４ｃと溝型鋼５のフランジ部５ｂとの間に隙間が生じるのを防止することができる。
【０１４５】
他の構成及び作用効果については、前記実施の形態及び実施例１、２と略同様であるので説明を省略する。
【０１４６】
以上、図面を参照して、本願発明の最良の実施の形態を詳述してきたが、具体的な構成は、この実施の形態に限らず、本願発明の要旨を逸脱しない程度の設計的変更は、本願発明に含まれる。
【０１４７】
例えば、前記実施例１では、平面視略方形形状の座金本体２１ａが用いられているが、特にこれに限らず、例えば、長方形形状等、縦横の比率が特に限定されるものではなく、高さ方向の寸法についても、平面視略方形形状の薄板状等、どのような寸法、形状及び材質であってもよい。
【０１４８】
また、前記実施例１の座金本体２１ａでは、ボルト１６を挿通するため、１つの挿通孔２１ｂが形成されたものを示して説明してきたが、特にこれに限らず、２つ以上、複数の挿通孔２１ｂ…が形成されていてもよく、その配列も特に限定されるものではない。
【０１４９】
更に、本願発明の最良の実施の形態では、溝型鋼４、５が、梁フレーム材として用いられているが、柱フレーム材であっても良い。
【図面の簡単な説明】
【０１５０】
【図１】本願発明を実施するための最良の形態の脚付き座金で、この脚付き座金と、ボルトと、ナットと、ばね座金等とを用いて、溝型鋼のフランジ部同士を接合した状態を説明する断面図である。
【図２】本願発明の実施例１の脚付き座金で、この脚付き座金と、ボルトと、ナットと、ばね座金とを用いて、溝型鋼のフランジ部同士を接合する様子を説明する分解斜視図である。
【図３】脚付き座金と、ボルトと、ナットと、ばね座金等とを用いて、溝型鋼のフランジ部同士を接合した状態を説明する図２のＡ−Ａ断面図である。
【図４】本願発明の実施例１の脚付き座金の上面図である。
【図５】本願発明の実施例１の脚付き座金の側面図である。
【図６】ボックスラーメン構造を有するユニット住宅の基礎と、この基礎上に設置されて接合された８つの建物ユニットの主に梁と柱の構成とを説明する斜視図である。
【図７】本願発明の実施例２の脚付き座金で、この脚付き座金と、ボルトと、ナットと、ばね座金等とを用いて、溝型鋼のフランジ部同士を接合した状態を説明する断面図である。
【図８】本願発明の実施例２の脚付き座金の上面図である。
【図９】本願発明の実施例２の脚付き座金の側面図である。
【図１０】本願発明の実施例３の脚付き座金で、この脚付き座金と、ボルトと、ナットと、ばね座金等とを用いて、柱に接合された溝型鋼のフランジ部同士を接合する様子を説明する分解斜視図である。
【図１１】本願発明の実施例３の脚付き座金を裏面側から見た正面図である。
【図１２】一従来例の座金で、この座金と、ボルトと、ナットと、ばね座金等とを用いて、溝型鋼のフランジ部同士を接合する様子を説明する部分分解斜視図である。
【図１３】図１２の分解斜視図のＢ−Ｂ断面図である。
【図１４】図１２の分解斜視図のＢ−Ｂ断面図で、上の溝型鋼に水平方向の外力が作用した際に、溝型鋼のフランジ部同士の間に隙間が生じた状態を説明する断面図である。
【符号の説明】
【０１５１】
１                              ユニット住宅（ユニット建物）
３…                            建物ユニット
４                              溝型鋼（鋼材）
４ａ                            ウェブ部（縦壁）
４ｃ                            フランジ部
５                              溝型鋼（他の部材）
１６                            ボルト（締結部材）
１７                            ナット（締結部材）
１８                            フレーム取付け穴（挿通孔）
１９                            フレーム取付け穴（挿通孔）
２１、３１、４１、５１          脚付き座金
２１ａ、３１ａ、４１ａ、５１ａ  座金本体
２１ｃ、３１ｃ、４１ｃ、５１ｄ  ウエブ部側脚部
２１ｄ、３１ｄ、４１ｄ          端縁側脚部
５１ｅ，５１ｆ                  延設脚部
【図１】
0004839047.tif 000002
【図２】
0004839047.tif 000003
【図３】
0004839047.tif 000004
【図４】
0004839047.tif 000005
【図５】
0004839047.tif 000006
【図６】
0004839047.tif 000007
【図７】
0004839047.tif 000008
【図８】
0004839047.tif 000009
【図９】
0004839047.tif 000010
【図１０】
0004839047.tif 000011
【図１１】
0004839047.tif 000012
【図１２】
0004839047.tif 000013
【図１３】
0004839047.tif 000014
【図１４】
0004839047.tif 000015